(57)【要約】【課題】ヘテロジーニアス無線において、それぞれの通信システムに共通のエリアでサービス状態を管理し、さらにこの管理データを用いて最適となる可能性が高い通信方式を選択し、通知する。【解決手段】移動局装置または基地局装置から、いずれかの単位領域および単位時間における移動局装置のサービス状態を示す数値を取得し、取得した数値を収納するサービス状態数値収納部と、移動局装置の状態を示す数値に基づいて、いずれかの単位領域および単位時間において、サービス状態を、移動局装置が特定の通信に関する状態となる確率を示す状態確率、および移動局装置の特定の通信に関する状態の確率密度によって数値化するサービス状態計算部２１３と、数値化されたサービス状態を格納するサービス状態管理データベース２１５と、を備える。【選択図】図１
2011124945.tif 000002
【特許請求の範囲】
【請求項１】
複数の異種無線システムのうち少なくとも一つの無線システムを選択して移動局装置と基地局装置とが無線通信を行なう無線通信システムに適用され、サービス提供領域および提供時間を、通信に関する前記移動局装置の状態が定常とみなし得る複数の単位領域および単位時間に分割して、前記単位領域および単位時間毎にサービス状態を管理するサービス状態管理サーバであって、
前記移動局装置または前記基地局装置から、前記いずれかの単位領域および単位時間における前記移動局装置の状態を示す数値を取得し、取得した数値を収納するサービス状態数値収納部と、
前記移動局装置の状態を示す数値に基づいて、前記いずれかの単位領域および単位時間において、前記サービス状態を、前記移動局装置が特定の通信に関する状態となる確率を示す状態確率、および前記移動局装置の前記特定の通信に関する状態の確率密度によって数値化するサービス状態計算部と、
前記数値化されたサービス状態を格納するサービス状態管理データベースと、を備えることを特徴とするサービス状態管理サーバ。
【請求項２】
複数の異種無線システムのうち少なくとも一つの無線システムを選択して移動局装置と基地局装置とが無線通信を行なう無線通信システムに適用され、サービス提供領域および提供時間を、通信に関する前記移動局装置の状態が定常とみなし得る複数の単位領域および単位時間に分割して、前記単位領域および単位時間毎にサービス状態を管理するサービス状態管理サーバであって、
前記いずれかの単位領域および単位時間において、前記移動局装置が特定の通信に関する状態となる確率を示す状態確率、および前記移動局装置の前記特定の通信に関する状態の確率密度の双方を前記移動局装置または前記基地局装置から取得し、取得した前記状態確率および確率密度を収納するサービス状態数値収納部と、
前記いずれかの単位領域および単位時間における移動局装置の状態確率および確率密度に基づいて、前記サービス提供領域および提供時間を構成する単位領域および単位時間における定常的な状態確率および確率密度を算出するサービス状態計算部と、
前記算出された各単位領域および単位時間における定常的な状態確率および確率密度を格納するサービス状態管理データベースと、を備えることを特徴とするサービス状態管理サーバ。
【請求項３】
前記サービス状態計算部は、前記単位時間毎および単位領域毎での確率密度を算出し、
前記サービス状態管理データベースは、前記算出された単位時間毎および単位領域毎での確率密度を格納することを特徴とする請求項１または請求項２記載のサービス状態管理サーバ。
【請求項４】
前記サービス状態計算部は、一定の期間を単位として、前記サービス提供領域を構成する単位領域における定常的な状態確率および確率密度を算出することを特徴とする請求項１から請求項３のいずれかに記載のサービス状態管理サーバ。
【請求項５】
請求項１から請求項４のいずれかに記載のサービス状態管理サーバと、
移動局装置と、
基地局装置と、から構成されることを特徴とする無線通信システム。
【発明の詳細な説明】
【技術分野】
【０００１】
本発明は、複数の異なる移動体無線システムが同時に稼動するヘテロジーニアス無線環境下において、これらを有効に協調させ、複数の無線システムから１つのシステムを選択するための、移動体通信システムのサービス状態の管理方式と管理したデータを用いたサービス状態管理サーバおよび無線通信システムに関する。
【背景技術】
【０００２】
近年、異なる複数無線システム（へテロジーニアス無線）を用いて、サービスエリアの補完、周波数スペクトラムの有効利用、信頼性の向上を図ることが提唱されている。通常、単一の無線システム内においては、それぞれのシステム固有な伝送品質パラメータを測定し、システム内での時間や周波数スロットの切替等を行ない、そのシステムの利用効率を向上させている。例えば、無線ＬＡＮでのＲＳＳＩ値や、ＷｉＭＡＸでのＣＩＮＲ値が、これら伝送品質パラメータに該当する。へテロジーニアス無線システムを対象として、複数のシステムから1つのシステムを選択する場合は、これらシステムのパラメータをネットワーク側で管理し、その場所あるいはユーザの使用状況に応じて、どの通信システムを使ったらよいのかを制御して、周波数の有効利用や信頼性向上に向ける必要がある。
【０００３】
従来のへテロジーニアス無線でのシステム選択方式では、それぞれのシステム固有の位置登録に基づく制御方式が提案されている。例えば、特許文献１の発明は、複数の無線システムを対象にして、システムの選択制御を行なう方式である。また、特許文献２の発明は、複数の無線システムを対象にして、端末の移動速度が閾値よりも大きくなった場合を契機として、異なる無線システムへのハンドオフ制御を行なう方式であり、スループットの向上を目的としている。特許文献１の発明、特許文献２の発明では、両方とも、システムを選択する際に重要となる地形上のサービスエリアは、それぞれの無線システム固有のものである。
【先行技術文献】
【特許文献】
【０００４】
【特許文献１】特開２００４−３１２５８９号公報
【特許文献２】特開２００８−２７０９９０号公報
【発明の概要】
【発明が解決しようとする課題】
【０００５】
上記のようなヘテロジーニアス無線システムが採用された場合、無線端末に対して、ユーザにとって最適な通信システムをアドバイスあるいは制御することが重要となる。ユーザが利用するアプリケーションを想定すると、そのアプリケーションに適した無線システムを選ぶ方が、時間や周波数の有効利用が図ることができる。例えば、ＶｏＩＰの場合は遅延が少ないシステム、大容量のデータをダウンロードする場合はスループットの大きなシステムを選んだ方が好ましい。また、通信事業者にとっては、なるべくネットワークの負荷を均一にしたい為、トラヒックの少ない、即ち混雑度の小さいシステムを選択する方式が望ましい。
【０００６】
また、省消費電力の観点からは、全ての無線システムをａｃｔｉｖｅにするのではなく、必要な部分のみを起動しておく、例えば端末では具備しているシステムの一部の機能をスリープさせたり、基地局では不要な電力を消費しない為、さらには干渉を低減させるために、停波することが考えられる。また、端末側でバッテリーの容量が消費され残量が少なくなった場合には、端末の送信電力が少ない無線システムを選び、更に不要なシステムや機能をスリープさせることが得策である。
【０００７】
しかしながら、上記のように、特許文献１や特許文献２のような従来の発明では、サービスエリアがそれぞれの無線システム固有のものであるので、きめ細かい制御は困難である。また、上記のようなきめ細かな状態管理方式、並びにそれを利用したシステムの制御方式に係る方式は提案されていない。
【０００８】
本発明は、このような事情に鑑みてなされたものであり、ヘテロジーニアス無線において、それぞれの通信システムに共通のエリアでサービス状態を管理し、さらにこの管理データを用いて最適となる可能性が高い通信方式を選択し、通知することができるサービス状態管理サーバおよび無線通信システムを提供することを目的としている。
【課題を解決するための手段】
【０００９】
（１）上記の目的を達成するために、本発明は、以下のような手段を講じた。すなわち、本発明のサービス状態管理サーバは、複数の異種無線システムのうち少なくとも一つの無線システムを選択して移動局装置と基地局装置とが無線通信を行なう無線通信システムに適用され、サービス提供領域および提供時間を、通信に関する前記移動局装置の状態が定常とみなし得る複数の単位領域および単位時間に分割して、前記単位領域および単位時間毎にサービス状態を管理するサービス状態管理サーバであって、前記移動局装置または前記基地局装置から、前記いずれかの単位領域および単位時間における前記移動局装置の状態を示す数値を取得し、取得した数値を収納するサービス状態数値収納部と、前記移動局装置の状態を示す数値に基づいて、前記いずれかの単位領域および単位時間において、前記サービス状態を、前記移動局装置が特定の通信に関する状態となる確率を示す状態確率、および前記移動局装置の前記特定の通信に関する状態の確率密度によって数値化するサービス状態計算部と、前記数値化されたサービス状態を格納するサービス状態管理データベースと、を備えることを特徴とする。
【００１０】
このように、いずれかの単位領域および単位時間における移動局装置の状態を示す数値を取得し、取得した数値を収納するので、この情報を利用して、移動局装置の使用場所や使用時間帯に応じて、サービス品質や通信回線容量が最適となるよう、選択しあるいは束ねる通信システムを選定し、基地局装置あるいは移動局装置に対して通知することが可能となる。また、移動局装置の状態を示す数値に基づいて、いずれかの単位領域および単位時間において、サービス状態を、移動局装置が特定の通信に関する状態となる確率を示す状態確率、および移動局装置の特定の通信に関する状態の確率密度によって数値化するので、目的に応じて複数のシステムから最適と思われる一つのシステムを選択することが容易となり、また、後述する移動局装置で統計処理を行なう場合と比較して、小ゾーンの構成を柔軟に変更することができる。
【００１１】
（２）また、本発明のサービス状態管理サーバは、複数の異種無線システムのうち少なくとも一つの無線システムを選択して移動局装置と基地局装置とが無線通信を行なう無線通信システムに適用され、サービス提供領域および提供時間を、通信に関する前記移動局装置の状態が定常とみなし得る複数の単位領域および単位時間に分割して、前記単位領域および単位時間毎にサービス状態を管理するサービス状態管理サーバであって、前記いずれかの単位領域および単位時間において、前記移動局装置が特定の通信に関する状態となる確率を示す状態確率、および前記移動局装置の前記特定の通信に関する状態の確率密度の双方を前記移動局装置または前記基地局装置から取得し、取得した前記状態確率および確率密度を収納するサービス状態数値収納部と、前記いずれかの単位領域および単位時間における移動局装置の状態確率および確率密度に基づいて、前記サービス提供領域および提供時間を構成する単位領域および単位時間における定常的な状態確率および確率密度を算出するサービス状態計算部と、前記算出された各単位領域および単位時間における定常的な状態確率および確率密度を格納するサービス状態管理データベースと、を備えることを特徴とする。
【００１２】
このように、いずれかの単位領域および単位時間における移動局装置の状態を示す数値を取得し、取得した数値を収納するので、この情報を利用して、移動局装置の使用場所や使用時間帯に応じて、サービス品質や通信回線容量が最適となるよう、選択しあるいは束ねる通信システムを選定し、移動局装置に対して通知することが可能となる。また、いずれかの単位領域および単位時間において、移動局装置が特定の通信に関する状態となる確率を示す状態確率、および移動局装置の特定の通信に関する状態の確率密度の双方を移動局装置または基地局装置から取得するので、統計処理量を小さくすることが可能となる。
【００１３】
（３）また、本発明のサービス状態管理サーバにおいて、前記サービス状態計算部は、前記単位時間毎および単位領域毎での確率密度を算出し、前記サービス状態管理データベースは、前記算出された単位時間毎および単位領域毎での確率密度を格納することを特徴とする。
【００１４】
このように、サービス状態管理データベースは、算出された単位領域毎での確率密度を格納するので、例えば、移動局装置が単位領域間を跨ぐような場合においても、移動局装置の使用場所や使用時間帯に応じて、サービス品質や通信回線容量が最適となるよう、選択または束ねる通信システムを選定し、移動局装置に対して通知することが可能となる。
【００１５】
（４）また、本発明のサービス状態管理サーバにおいて、前記サービス状態計算部は、一定の期間を単位として、前記サービス提供領域を構成する単位領域における定常的な状態確率および確率密度を算出することを特徴とする。
【００１６】
このように、サービス状態計算部は、一定の期間を単位として、サービス提供領域を構成する単位領域における定常的な状態確率および確率密度を算出するので、サービス状態管理データベースが、これらを格納することにより、時間帯、曜日、平日／祝日等によって通信状況が変化する場合において、使用場所や時間帯のみならず、曜日、平日／祝日に応じて、サービス品質並びに通信回線容量が最適となるよう、選択あるいは束ねる通信システムを選定し、移動局装置に対して通知することが可能となる。
【００１７】
（５）また、本発明の無線通信システムは、上記（１）から（４）のいずれかに記載のサービス状態管理サーバと、移動局装置と、基地局装置と、から構成されることを特徴とする。
【００１８】
このように、いずれかの単位領域および単位時間における移動局装置の状態を示す数値を取得し、取得した数値を収納するので、この情報を利用して、移動局装置の使用場所や使用時間帯に応じて、サービス品質や通信回線容量が最適となるよう、選択しあるいは束ねる通信システムを選定し、移動局装置に対して通知することが可能となる。
【発明の効果】
【００１９】
本発明によれば、端末のサービスの状態を、位置情報と時刻をキーとして、確率的に管理することができる。この情報を用いることにより、周波数の有効利用や、回線の品質向上を目的とした、へテロジーニアス無線の制御を行なうことができ、ユーザあるいはサービス提供者にとって適していると思われる通信システムを提供することができる。また、省電力化・干渉の低減のための制御も行なうことができる。
【図面の簡単な説明】
【００２０】
【図１】本発明の第１の実施形態に係る移動体通信システムの概略構成を示すブロック図である。
【図２】本発明の第２の実施形態に係る移動体通信システムの概略構成を示すブロック図である。
【図３】本発明の第３の実施形態に係る移動体通信システムの概略構成を示すブロック図である。
【図４】本発明の移動体通信システムのサービス状態管理方式のデータベース構造の概念図である。
【図５】本発明の移動体通信システムのサービス状態管理方式のデータベース構造の概念図である。
【図６】本発明を説明する概念図である。
【図７】本発明の小ゾーン内の各無線システムの状態を示すベン図の一例である。
【図８】本発明において、２つの無線システムが圏内になる場合の同時確率密度関数の例ｐ（x,y）を示す図である。
【発明を実施するための形態】
【００２１】
移動体通信システムにおいては、いわゆる第３．９世代に引き続く第４世代の通信システムが検討されている。第４世代以降においては、周波数の逼迫により、新たな通信システムを開発し、そのシステムに周波数帯域を割り当てるのは困難な状態になってくる可能性がある。他方、移動無線に対する需要はさらに大きくなり、またより高い品質が求められるものと予想される。このような状況に対応可能な次世代の有力な候補の一つとして、異なる複数の既存の無線システム（へテロジーニアス無線）を有効に利活用し、さらに高度化させることが考えられる。
【００２２】
そこで、本発明のサービス状態管理方式は、周波数の有効利用を図りさらには信頼性を高める為、複数の無線システムから１システムを選択する場合において、最適なシステム制御の為の基本情報を得る方式を提供する。具体的には、移動体無線通信システムのエリアを状態が定常とみなせることができ、ヘテロジーニアス無線において共通の“小ゾーン”に分け、それぞれの小ゾーンにおいて、異種無線対応端末の利用できる通信のサービス品質状態を、品質状態の確率密度関数（発生確率）により管理する方式である。
【００２３】
ここで、小ゾーンの大きさは狭い方がきめ細かな制御が可能であるが、一方管理データが膨大となり、また端末の移動を考慮すると、制御が追随しないおそれもある。小ゾーンの大きさは、室内では最もエリアの狭い無線ＬＡＮ（Wi-Fiと同義）のエリア（ビルの１フロア）程度、屋外では交差点程度と考えている。この程度の大きさでは、サービス状態は一定とは考えられないため、状態を確率密度（発生確率）で管理する必要が生じてくる。小ゾーンの構成は水平方向に加えて、垂直方向も可能である。無線ＬＡＮがビル内で配置されている状況、あるいは地下街に設置されている無線ＬＡＮ、携帯電話の屋内基地局やリピータを考慮すると、立体での管理も重要である。
【００２４】
また、サービス品質状態とは、各無線システムの、圏内／圏外、ＲＳＳＩ、ＣＩＮＲ、ＢＥＲ、遅延量、スループット、混雑度、パケットロス率、パケット誤り率、基地局やアクセスポイントのＩＤ、等である。以下、本発明の実施形態について図面を参照して説明する。
【００２５】
図６は、本発明を説明する概念図である。通常、陸上移動体通信は、サービスエリアの観点から、領域の広い広域系（例えば、携帯電話（EVDO）１、PHS３、WiMAX５など）と狭い狭域系（例えば、Wi-Fi７など）に分けることができる。図６のように、それらが一部重複したり、あるいは１システムのみカバーしている場合、１システムもカバーしていない場合がある。本発明では、地形上で“小ゾーン９”と呼称する区域に分け、それぞれの小ゾーン９の中でのサービス状態の管理を行なう。さらに、その小ゾーン９の中では確率的に定常であるようにするため、時間帯（曜日、休日なども含む）でも区切る。
【００２６】
各異種無線対応端末１１は、ＧＰＳなどの手段により、存在する位置を把握し、その地点におけるサービス状態を、その時に使える無線システム経由で、サービス状態管理サーバ１３に送信し、サービス状態管理サーバ１３では、受信したデータを統計処理する。経由する無線システムにより、アクセスポイント１５あるいは基地局１７を中継して異種無線対応端末１１からの情報をサービス状態管理サーバ１３に送信する。基地局１７とサービス状態管理サーバ１３とはネットワーク１９で接続されている。
【００２７】
一方、異種無線対応端末１１がこの管理データを利用して無線システムを制御する方式については、異種無線対応端末１１の位置をサービス状態管理サーバ１３に通知し、その地点に相当する小ゾーン９並びにその周辺でのサービス状態を知り、その管理データにより最も適していると考えられる無線システムの選択の制御を行なう。“最も適していると考えられる制御”とは、管理データが確率密度であり、確定的とはならないことによる。以下、サービスの状態確率並びにそれぞれの状態の中での確率密度について説明する。
【００２８】
図７は、本発明の小ゾーン９内の各無線システムの状態を示すベン図の一例である。簡単化の為、無線システムは、広域系の携帯電話１と狭域系のＷｉ−Ｆｉ７の２種類を想定している。この図はベン図であり、エリア図ではないことに注意する必要がある。図７で、Ｗｉ−Ｆｉ７のみが圏内である状態をＳ１、携帯電話１のみが圏内である状態をＳ２、Ｗｉ−Ｆｉ７と携帯電話１共に圏内である状態をＳ３、Ｗｉ−Ｆｉ７と携帯電話１共に圏外である状態をＳ４、とする。また、Ｗｉ−Ｆｉ７が圏内となる確率をＰＦ、携帯電話１が圏内である確率をＰＬ、とすると、各状態の確率は、
・Ｗｉ−Ｆｉ７のみが圏内（Ｓ１）となる状態確率：ＰＦ−ＰＦｘＰＬ
・携帯電話１のみが圏内（Ｓ２）となる状態確率：ＰＬ−ＰＦｘＰＬ
・携帯電話１、Ｗｉ−Ｆｉ７共に圏内（Ｓ３）となる状態確率：ＰＦｘＰＬ
・携帯電話１、Ｗｉ−Ｆｉ７共に圏外（Ｓ４）となる状態確率：
１−（ＰＦ＋ＰＬ）＋ＰＦｘＰＬ
となる。結局は、ＰＦとＰＬの測定値を管理すればいいことになる。
【００２９】
それぞれの無線システムにおけるサービス状態の確率密度に関しては、圏内の部分だけについて、データを管理することになる。例えば、圏内となるシステムについて、ＲＳＳＩ、スループット、混雑度などの多元の同時確率（あるいは結合確率）となる。２つ以上の無線システムが圏内となる場合には、さらに次元が多い多元の同時確率となる。
【００３０】
図８は、本発明において、２つの無線システムが圏内になる場合の同時確率密度関数の例ｐ（ｘ，ｙ）を示す図である。図８で同時確率について説明する。２つの無線システムが共に圏内になる場合、それぞれの伝送品質（例えば、RSSI）をｘ、ｙとすると、同時確率ｐ（ｘ，ｙ）は、図８のように表すことができる。同図では、一例として、Ｗｉ−Ｆｉ７と携帯電話１とが共に圏内になる状態において、ｘをＷｉ−Ｆｉ７のＲＳＳＩ値、ｙを携帯電話１のＲＳＳＩ値としている。なお、この確率密度関数は、異なる２つの無線システムに限る必要は無く、例えば、Ｗｉ−Ｆｉ７単体の場合で、ｘをＲＳＳＩ、ｙを遅延とすることができる。
【００３１】
複数のサービス状態を同時確率密度関数で管理することができれば、例えばスループットがａ（bit/s）以上（and/or）遅延時間がｂ秒以下、というような条件で無線システムを選択できる。また、それぞれのサービス状態を単独で処理せずに、相関性を求めるような処理を行なえば、一部のサービス状態を知ることにより無線システムを選択する方式が求まる可能性もある。
【００３２】
［第１の実施形態］
図１は、本発明の第１の実施形態に係る移動体通信システムの概略構成を示すブロック図である。異種無線対応端末１１側がサービス状態を測定し、サービス状態管理サーバ１３に報知することを想定している。異種無線対応端末１１の複数の無線装置２０１（第１の無線装置２０１−１、第２の無線装置２０１−２、・・・第ｎの無線装置２０１−ｎ）、位置測定装置２０３を有する異種無線対応端末１１は、各無線装置２０１におけるサービス状態をサービス状態測定部２０５に通知する。無線セレクタ２０７では、まず疎通の確認がとれている通信システムを選び、ユーザデータ端末２０９で発生した情報データと共に、サービス状態をその無線装置２０１に対応した基地局１７（第１の無線装置用基地局１７−１、第２の無線装置用基地局１７−２、・・・第ｎの無線装置用基地局１７−ｎ）に送信する。サービス状態の情報は、さらにインターネット等のネットワーク１９を通じて、サービス状態管理サーバ１３に送信される。
【００３３】
当該サービス状態管理サーバ１３では、サービス状態数値収納部２１１は、多数の異種無線対応端末１１から送られてきた情報をそのまま記録する。サービス状態計算部２１３は、異種無線対応端末１１からの情報を、各小ゾーン９毎に状態確率並びにそれぞれの状態における確率密度（あるいはヒストグラム）に統計処理し、その結果をサービス状態管理データベース２１５に記録する。この実施形態では、測定できる品質パラメータは、低レイヤーの情報、即ち、圏内／圏外、ＲＳＳＩ、ＣＩＮＲ、ＢＥＲ、等となる。
【００３４】
［第２の実施形態］
図２は、本発明の第２の実施形態に係る移動体通信システムの概略構成を示すブロック図である。図２は、第１の実施形態に加えて、基地局１７側でもサービス状態測定部３０１（３０１−１、３０１−２、・・・３０１−ｎ）でサービス状態を把握し、サービス状態管理サーバ１３に通知する場合を想定した実施形態である。この実施形態においても、測定できる品質パラメータは、低レイヤーの情報、即ち、圏内／圏外、ＲＳＳＩ、ＣＩＮＲ、ＢＥＲとなる。
【００３５】
［第３の実施形態］
図３は、本発明の第３の実施形態に係る移動体通信システムの概略構成を示すブロック図である。図３は、高レイヤーの品質パラメータ、例えばスループットやアプリケーションにおける伝送遅延を測定する為に、ユーザデータ端末２０９にサービス状態測定部４０１を設けた実施形態である。
【００３６】
［第４の実施形態］
図４は、本発明の移動体通信システムのサービス状態管理方式のデータベース構造の概念図である。図４は、図１〜４のサービス状態数値収納部２１１内のデータを、サービス状態計算部２１３において統計処理し、サービス状態管理データベース２１５にまとめる際のデータベース構造の概念図を示したものである。端末あるいは基地局でサービス状態を統計処理して管理サーバに送信する場合を想定しており、サービス状態数値収納部２１１は、異種無線対応端末１１あるいは基地局１７から状態確率や確率密度を受信し、それらの多数のデータを処理して、定常的な状態確率と確率密度を作成することになる。この場合、異種無線対応端末１１や基地局１７は、小ゾーン９の識別番号を知る必要があるので、サービス状態管理サーバ１３から情報通知しなくてはならない。
【００３７】
図５は、本発明の移動体通信システムのサービス状態管理方式のデータベース構造の概念図である。図５では、異種無線対応端末１１あるいは基地局１７はサービス状態の生情報データを、時刻や位置信号と共にサービス状態数値収納部２１１に送り、サービス状態計算部２１３で統計処理し、サービス状態管理データベース２１５でサービス状態の管理を行なう。この場合には、小ゾーン９の構成を柔軟に変更できるというメリットがあるが、サービス状態数値収納部２１１の記憶容量、サービス状態計算部２１３の処理量が大きくなる。なお、本発明に基づく管理方式は統計処理した確率を基に行なうので、サービス状態の測定間隔や図５において生データを送る間隔は、定常とみなせる時間以内で選べることができる。
【００３８】
本発明は、複数の異なる移動体通信システムを併用するヘテロジーニアス無線において、サービス状態を確率に基づいて管理することにより、使用場所や時間帯におけるサービス品質を最適に近づけるよう、選択する通信システムをアドバイス・制御できることを特長としている。このような技術は、いわゆる第４世代以降の移動体通信システムでは必要不可欠になると考えられる。
【００３９】
本発明は、複数のシステムから１つの無線システムを選択する以外に、２つ以上の無線システムを束ねる為の方式についても、適用可能と考えられる。また、最近、ＭＶＮＯ（仮想移動体サービス事業者）向けに、オペレータがサービスを提供しており、今後益々、ＭＶＮＯを通じた移動体通信の利用が増えると考えられる。また、ＭＶＮＯにおいても、単一無線ではなく、へテロジーニアスな無線サービスの提供も図られると思われる。そのような場合には、オペレータも付加価値を設けて、他社との優位性を図る必要があり、ここに述べる方式は、そのような付加価値の一つと考えられる。
【００４０】
以上説明したように、本実施形態に係るサービス状態管理サーバは、端末のサービスの状態を、位置情報と時刻をキーとして、確率的に管理する。この情報を用いることにより、周波数の有効利用や、回線の品質向上を目的とした、へテロジーニアス無線の制御を行なうことができ、ユーザあるいはサービス提供者にとって適していると思われる通信システムを提供することができる。また、省電力化・干渉の低減のための制御も行なうことができる。
【００４１】
本実施形態に係るサービス状態管理サーバは、次のような効果を奏する。
（１）アプリケーションに適した無線システムの選択
例えば、大容量のデータをダウンロードする場合はスループットの高いシステムを選択し、低遅延が要求されるＶｏＩＰの場合は、低遅延のシステムを選択する。
（２）ハンドオフ時の最適な無線システムの選択
現在の異種無線対応端末の位置だけでなく、隣接する複数の小ゾーンの情報も知ることにより、端末の移動などで、伝送品質が変動する、あるいはハンドオフの可能性がある場合は、先の状態を予想することができ、適切な対処を行なうことができる。
（３）端末での省電力化
端末が存在する位置で、複数システムが使える場合に、端末の一部の無線システムをスリープさせることにより、省電力化を図ることが可能となる。また、バッテリー容量が少なくなってきた場合、消費電力の小さな無線システムを選択し、さらに他のシステムをスリープさせることにより、必要最小限に通信を確保するができる。
（４）基地局での省電力化
ある小ゾーンが、複数の無線システム基地局（あるいはアクセスポイント）によりカバーされており、そのうちの一部の機能を止めてもトラヒック疎通に影響が無いと判断される場合（例えば、夜明け前など）、基地局の一部を停波して、省電力化並びに干渉の低減を図ることができる。
（５）端末の電源をON時のサポート
例えば、映画鑑賞等で端末の電源をＯＦＦしていた後に、電源をＯＮした際、その時々でどの無線システムが最適であるかをアドバイスする。
（６）サービスエリアの充実
トラヒック量が多いにも拘らず、利用できる無線システムが少ない小ゾーンを把握することができるので、例えば、その場所に新たにWi-Fiのアクセスポイントを新設し、トラヒックの負荷分散を行なうことが可能となる。
【符号の説明】
【００４２】
１  携帯電話（EVDO）
３  ＰＨＳ
５  ＷｉＭＡＸ
７  Ｗｉ−Ｆｉ
９  小ゾーン
１１  異種無線対応端末
１３  サービス状態管理サーバ
１５  アクセスポイント
１７  基地局
１７−１  第１の無線装置用基地局
１７−２  第２の無線装置用基地局
１７−ｎ  第ｎの無線装置用基地局
１９  ネットワーク
２０１  無線装置
２０１−１  第１の無線装置
２０１−２  第２の無線装置
２０１−ｎ  第ｎの無線装置
２０３  位置測定装置
２０５  サービス状態測定部
２０７  無線セレクタ
２０９  ユーザデータ端末
２１１  サービス状態数値収納部
２１３  サービス状態計算部
２１５  サービス状態管理データベース
３０１  サービス状態測定部
３０１−１〜３０１−ｎ  サービス状態測定部
４０１  サービス状態測定部
【図１】
2011124945.tif 000003
【図２】
2011124945.tif 000004
【図３】
2011124945.tif 000005
【図４】
2011124945.tif 000006
【図５】
2011124945.tif 000007
【図７】
2011124945.tif 000008
【図８】
2011124945.tif 000009
【図６】
2011124945.tif 000010